(57)【要約】      （修正有）【課題】内方フレーム部の強度を高くして、十分な呼吸スペースを確保することができるマスクフレームを提供する。【解決手段】マスクに取り付けて使用するマスクフレーム１０であって、使用者の顔面に当接する平面環状の外方フレーム部１１と、外方フレーム部の内方において張り渡された内方フレーム部１２とを備え、内方フレーム部は、縦方向梁部１３ａ、ｂ及び斜め方向梁部１４により構成され、外方フレーム部及び内方フレーム部は、使用者の鼻部に対向する部分が、使用者の鼻部を回避できるように、前方へ膨出するように形成されている。【選択図】図３
0003230074.tif 000002
【実用新案登録請求の範囲】
【請求項１】
マスク装着時に、マスクと顔との間に介在させて使用するマスクフレームであって、
使用者の顔面に当接する平面環状の外方フレーム部と、
前記外方フレーム部の内方において張り渡された内方フレーム部とを備え、
前記内方フレーム部は、縦方向梁部及び斜め方向梁部により構成され、
前記外方フレーム部及び前記内方フレーム部は、使用者の鼻部に対向する部分が、使用者の鼻部を回避できるように、前方へ膨出するように形成されていることを特徴とするマスクフレーム。
【請求項２】
前記外方フレーム部は、使用者の頬部に密着しうるように左右方向の端部に一対の頬部当接部が形成されていることを特徴とする請求項１記載のマスクフレーム。
【請求項３】
前記内方フレーム部は、２本の前記縦方向梁部と４本の前記斜め方向梁部とにより形成されており、前記縦方向梁部は上方縦方向梁部と下方縦方向梁部とにより構成され、上方縦方向梁部には、使用者が二本の指で挟み持ち、マスクと共に把持することが可能な凹部が形成されていることを特徴とする請求項１記載のマスクフレーム。
【請求項４】
前記外方フレーム部及び前記内方フレーム部は、合成樹脂により形成されていることを特徴とする請求項１記載のマスクフレーム。
【請求項５】
前記外方フレーム部と前記内方フレーム部との間に略三角形の開口部が形成されていることを特徴とする請求項１記載のマスクフレーム。
【請求項６】
前記開口部は上下方向において複数形成されており、口部に近い開口部の方がその他の開口部よりも、開口面積が広いことを特徴とする請求項５記載のマスクフレーム。
【請求項７】
前記外方フレーム部のフレーム幅は、前記内方フレーム部のフレーム幅よりも広いことを特徴とする請求項１記載のマスクフレーム。
【請求項８】
前記外方フレーム部の左右部分のフレーム幅は、前記外方フレーム部の上下部分のフレーム幅よりも広いことを特徴とする請求項１記載のマスクフレーム。
【考案の詳細な説明】
【技術分野】
【０００１】
本考案は、マスクフレームに係り、特に、マスクに取り付けて使用するマスクフレームに関する。
【背景技術】
【０００２】
従来のマスクは、大きく平面式と立体式の二タイプに分けられる。平面式マスクは、不織布などのフィルター材を貼り合わせ、又はその他の生地で織られるものであり、使用時は、生地を口や鼻に接触させずに着用する立体式マスクに対し、口や鼻を直接覆うように用いるものである。付け心地から言えば、息苦しい平面式マスクより、生地が口や鼻に接触しない立体式マスクの方が付け心地がよいが、平面式マスクは製造コストが比較的低いため、立体式マスクより使用量が多い。
【０００３】
従って、平面式マスクであっても顔面との間に空隙を有した状態で使用したい、という要請がある。また、立体式マスクであっても、型崩れすることがあるので、その場合には顔面との間に空隙を有した状態で使用したい、という要請がある。
【０００４】
この点、特許文献１は、環状フレームと、環状フレームの片側に接するとともに口や鼻との間に空間を確保して外側をマスクで被覆可能なシェル部とを有し、口や鼻を覆ってから外側をマスクで被覆可能かつ凸多角形の形状である支持フレームと、環状フレームの外側に設けられ、顔にフィットし、マスクの気密性を確保するように設けられる気密ユニットとを備えるマスク支持具を開示している。
【０００５】
しかしながら、このようなマスク支持具は、支持フレームのシェル部が格子状になっているため、シェル部の強度が低く、シェル部が凹んでしまうと、十分な呼吸スペースを確保することができない。
【先行技術文献】
【特許文献】
【０００６】
【特許文献１】実用新案登録第３２２６９６９号公報
【考案の概要】
【考案が解決しようとする課題】
【０００７】
そこで、本考案の課題は、内方フレーム部の強度を高くして、十分な呼吸スペースを確保することができるマスクフレームを提供することにある。
【課題を解決するための手段】
【０００８】
上記課題達成のため、請求項１記載の考案にあっては、  マスク装着時に、マスクと顔との間に介在させて使用するマスクフレームであって、使用者の顔面に当接する平面環状の外方フレーム部と、前記外方フレーム部の内方において張り渡された内方フレーム部とを備え、前記内方フレーム部は、縦方向梁部及び斜め方向梁部により構成され、前記外方フレーム部及び前記内方フレーム部は、使用者の鼻部に対向する部分が、使用者の鼻部を回避できるように、前方へ膨出するように形成されていることを特徴とする。
従って、本考案に係るマスクフレームにあっては、縦方向梁部及び斜め方向梁部によって内方フレーム部の強度を高くすることができるため、内方フレーム部が凹み難くなる。
【０００９】
請求項２記載の考案にあっては、前記外方フレーム部は、使用者の頬部に密着しうるように左右方向の端部に一対の頬部当接部が形成されていることを特徴とする。
従って、本考案に係るマスクフレームにあっては、頬部当接部によって使用者の頬部に外方フレーム部をしっかりと密着させることができる。
【００１０】
請求項３記載の考案にあっては、前記内方フレーム部は、２本の前記縦方向梁部と４本の前記斜め方向梁部とにより形成されており、前記縦方向梁部は上方縦方向梁部と下方縦方向梁部とにより構成され、上方縦方向梁部には、使用者が二本の指で挟み持ち、マスクと共に把持することが可能な凹部が形成されていることを特徴とする。
従って、本考案に係るマスクフレームにあっては、合計６本の梁部によって、より一層安定した内方フレーム部を形成することができる。
【００１１】
請求項４記載の考案にあっては、前記外方フレーム部及び前記内方フレーム部は、合成樹脂により形成されていることを特徴とする。
従って、本考案に係るマスクフレームにあっては、汗や水に強く防水性があり、型崩れもしづらい。
【００１２】
請求項５記載の考案にあっては、前記外方フレーム部と前記内方フレーム部との間に略三角形の開口部が形成されていることを特徴とする。
従って、本考案に係るマスクフレームにあっては、方形の開口部と比較して、内方フレーム部の配置面積を狭くすることができる。
【００１３】
請求項６記載の考案にあっては、前記開口部は上下方向において複数形成されており、口部に近い開口部の方がその他の開口部よりも、開口面積が広いことを特徴とする。
従って、本考案に係るマスクフレームにあっては、鼻部や顎部に近い開口部を狭い面積とし、口部に近い開口部を広い面積とすることができる。
【００１４】
請求項７記載の考案にあっては、前記外方フレーム部のフレーム幅は、前記内方フレーム部のフレーム幅よりも広いことを特徴とする。
従って、本考案に係るマスクフレームにあっては、外方フレーム部のフレーム幅と内方フレーム部のフレーム幅とを異ならせることができる。
【００１５】
請求項８記載の考案にあっては、前記外方フレーム部の左右部分のフレーム幅は、前記外方フレーム部の上下部分のフレーム幅よりも広いことを特徴とする。
従って、本考案に係るマスクフレームにあっては、外方フレーム部の左右部分のフレーム幅と外方フレーム部の上下部分のフレーム幅とを異ならせることができる。
【考案の効果】
【００１６】
請求項１記載の考案にあっては、マスクに取り付けて使用するマスクフレームであって、使用者の顔面に当接する平面環状の外方フレーム部と、前記外方フレーム部の内方において張り渡された内方フレーム部とを備え、前記内方フレーム部は、縦方向梁部及び斜め方向梁部により構成され、前記外方フレーム部及び前記内方フレーム部は、使用者の鼻部に対向する部分が、使用者の鼻部を回避できるように、前方へ膨出するように形成されていることから、縦方向梁部及び斜め方向梁部によって内方フレーム部の強度を高くすることができ、内方フレーム部が凹み難くなるため、強度の高い内方フレーム部によってマスクを安定して保持しながら、このマスクフレームを使用して十分な呼吸スペースを確保することができる。
【００１７】
請求項２記載の考案にあっては、前記外方フレーム部は、使用者の頬部に密着しうるように左右方向の端部に一対の頬部当接部が形成されていることから、頬部当接部によって使用者の頬部に外方フレーム部をしっかりと密着させることができるため、使用時における外方フレーム部のずれを防止することができる。
【００１８】
請求項３記載の考案にあっては、前記内方フレーム部は、２本の前記縦方向梁部と４本の前記斜め方向梁部とにより形成されていることから、合計６本の梁部によって、より一層安定した内方フレーム部を形成することができるため、安定した内方フレーム部により、確実にマスクを支えることができる。
前記縦方向梁部は、上方縦方向梁部と下方縦方向梁部とにより構成され、上方縦方向梁部には、使用者が二本の指で挟み持ち、マスクと共に把持することが可能な凹部が形成されていることから、マスク使用時に、呼吸の作用によりマスクが顔に張り付き、呼吸しにくい状態に至った場合には、必要に応じて、上方縦方向梁部の凹部をマスクの上から二本の指でつかみ、顔前方へ引っ張ることによりマスクを顔表面から前方へ引きはがすことができる。その結果、容易に呼吸のし易さを実現することが可能となる。
【００１９】
請求項４記載の考案にあっては、前記外方フレーム部及び前記内方フレーム部は、合成樹脂により形成されていることから、汗や水に強く防水性があり、型崩れもしづらいため、繰り返し洗えることにより、衛生的に再利用が可能である。
【００２０】
請求項５記載の考案にあっては、前記外方フレーム部と前記内方フレーム部との間に略三角形の開口部が形成されていることから、方形の開口部と比較して、内方フレーム部の配置面積を狭くすることができるため、開口部の通気面積を広く確保することができる。
【００２１】
請求項６記載の考案にあっては、前記開口部は上下方向において複数形成されており、口部に近い開口部の方がその他の開口部よりも、開口面積が広いことから、鼻部や顎部に近い開口部を狭い面積とし、口部に近い開口部を広い面積とすることができるため、会話時の煩わしさをより一層軽減させることができる。
【００２２】
請求項７記載の考案にあっては、前記外方フレーム部のフレーム幅は、前記内方フレーム部のフレーム幅よりも広いことから、外方フレーム部のフレーム幅と内方フレーム部のフレーム幅とを異ならせることができるため、幅が広い外方フレーム部でしっかりと顔面に当接させつつ、幅が狭い内方フレーム部で通気面積を広く確保することができる。
【００２３】
請求項８記載の考案にあっては、前記外方フレーム部の左右部分のフレーム幅は、前記外方フレーム部の上下部分のフレーム幅よりも広いことから、外方フレーム部の左右部分のフレーム幅と外方フレーム部の上下部分のフレーム幅とを異ならせることができるため、幅が広い外方フレーム部の左右部分でしっかりと顔面に当接させつつ、幅が狭い外方フレーム部の上下部分でソフトに顔面に当接させることができる。
【図面の簡単な説明】
【００２４】
【図１】本考案に係るマスクフレームの一実施の形態における正面図である。
【図２】本考案に係るマスクフレームの一実施の形態における平面図である。
【図３】本考案に係るマスクフレームの一実施の形態における右側面図である。
【図４】本考案に係るマスクフレームの一実施の形態における使用状態を示す図である。
【考案を実施するための形態】
【００２５】
以下、本考案に係る一実施の形態について、図面を参照しながら説明する。なお、各図面においては、理解を容易にするために、部材の形状や寸法を誇張して図示したり一部の部材を省略したりして図示している箇所もある。
図１〜図３に示すように、本実施の形態に係るマスクフレーム１０は、マスクＭ（図４参照）に取り付けて使用するマスクフレーム１０であって、使用者２０の顔面２１（図４参照）に当接する平面環状（図１では正面から見て環状）の外方フレーム部１１と、外方フレーム部１１の内方において張り渡された内方フレーム部１２とを備え、内方フレーム部１２は、縦方向梁部１３及び斜め方向梁部１４により構成され、外方フレーム部１１及び内方フレーム部１２は、使用者２０の鼻部２２（図４参照）に対向する部分が、使用者の鼻部２２を回避できるように、前方へ膨出するように形成されている。
従って、本実施の形態に係るマスクフレーム１０にあっては、縦方向梁部１３及び斜め方向梁部１４によって（縦方向の部材と斜め方向の部材とを連結させることによって）内方フレーム部１２の強度を高くすることができ、内方フレーム部１２が凹み難くなる。
【００２６】
図２及び図３に示すように、外方フレーム部１１及び内方フレーム部１２における使用者の鼻部に対向する部分は、前方（図２では下方、図３では左方）へ膨出するように湾曲して形成されている。また、外方フレーム部１１及び内方フレーム部１２におけるその他の部分は、使用者の顔面の形状に沿うように湾曲して形成されている。
【００２７】
図１に示すように、外方フレーム部１１は、使用者２０の頬部２３（図４参照）に密着しうるように左右方向の端部に一対の頬部当接部１５が形成されている。従って、本実施の形態に係るマスクフレーム１０にあっては、頬部当接部１５によって使用者２０の頬部２３に外方フレーム部１１をしっかりと密着させることができる。
【００２８】
内方フレーム部１２は、２本の縦方向梁部１３と４本の斜め方向梁部１４とにより形成されている。従って、本実施の形態に係るマスクフレーム１０にあっては、合計６本の梁部によって安定した内方フレーム部１２を形成することができる。
また、縦方向梁部１３は、上方縦方向梁部１３ａと下方縦方向梁部１３ｂとにより構成され、上方縦方向梁部１３ａの幅方向両側には、使用者が二本の指で挟み持ち、マスクと共に把持することが可能な凹部１７、１７が形成されている。
【００２９】
外方フレーム部１１及び内方フレーム部１２は、合成樹脂により形成されている。合成樹脂は、ＰＥ（ポリエチレン系素材）とすることができる。従って、本実施の形態に係るマスクフレーム１０にあっては、汗や水に強く防水性があり、型崩れもしづらい。
【００３０】
外方フレーム部１１と内方フレーム部１２との間には、略三角形の開口部１６が形成されている。従って、本実施の形態に係るマスクフレーム１０にあっては、方形の開口部と比較して、内方フレーム部１２の配置面積を狭くすることができる。
【００３１】
開口部１６は上下方向において複数形成されており、口部２４（図４参照）に近い開口部１６ａの方がその他の開口部１６よりも、開口面積が広い。従って、本実施の形態に係るマスクフレーム１０にあっては、鼻部２２や顎部２５（図４参照）に近い上下の開口部１６を狭い面積とし、口部２４に近い中央の開口部１６ａを広い面積とすることができる。
【００３２】
図１に示すように、外方フレーム部１１のフレーム幅Ｆ１は、内方フレーム部１２のフレーム幅Ｆ２よりも広い。従って、本実施の形態に係るマスクフレーム１０にあっては、外方フレーム部１１のフレーム幅Ｆ１と内方フレーム部１２のフレーム幅Ｆ２とを異ならせることができる。
【００３３】
また、外方フレーム部１１の左右部分のフレーム幅Ｆ３は、外方フレーム部１１の上下部分のフレーム幅Ｆ４よりも広い。従って、本実施の形態に係るマスクフレーム１０にあっては、外方フレーム部１１の左右部分のフレーム幅Ｆ３と外方フレーム部１１の上下部分のフレーム幅Ｆ４とを異ならせることができる。
【００３４】
図４に示すように、マスクフレーム１０を取り付けたマスクＭを着用すると、マスクフレーム１０はマスクＭの内部に収まり、外からは見えない状態となる。マスクＭは、平面式であっても立体式であってもよい。マスクフレーム１０をマスクＭに取り付けることにより、使用者２０は、十分な呼吸スペースを確保することができる。
また、上方縦方向梁部１３ａの幅方向両側には、使用者が二本の指で挟み持ち、マスクＭと共に把持することが可能な凹部１７、１７が形成されていることから、マスクＭの使用時に、呼吸の作用によりマスクＭが顔に張り付き、呼吸しにくい状態に至った場合であっても、必要に応じて、上方縦方向梁部１３ａの凹部１７、１７をマスクＭの上から二本の指でつかみ、顔前方へ引っ張ることによりマスクＭを顔表面から前方へ引きはがすことができる。その結果、容易に呼吸のし易さを実現することが可能となる。
【００３５】
以上説明したように、本実施の形態に係るマスクフレーム１０にあっては、縦方向梁部１３及び斜め方向梁部１４によって内方フレーム部１２の強度を高くすることができ、内方フレーム部１２が凹み難くなるため、強度の高い内方フレーム部１２によってマスクＭを安定して保持しながら、このマスクフレーム１０を使用して十分な呼吸スペースを確保することができる。
【００３６】
また、本実施の形態に係るマスクフレーム１０にあっては、頬部当接部１５によって使用者２０の頬部２３に外方フレーム部１１をしっかりと密着させることができるため、使用時における外方フレーム部１１のずれを防止することができる。
【００３７】
さらに、本実施の形態に係るマスクフレーム１０にあっては、合計６本の梁部１３、１４によって安定した内方フレーム部１２を形成することができるため、安定した内方フレーム部１２により、確実にマスクＭを支えることができる。
【００３８】
さらにまた、本実施の形態に係るマスクフレーム１０にあっては、汗や水に強く防水性があり、型崩れもしづらいため、繰り返し洗えることにより、衛生的に再利用が可能である。
【００３９】
その上、本実施の形態に係るマスクフレーム１０にあっては、方形の開口部と比較して、内方フレーム部１２の配置面積を狭くすることができるため、開口部１６の通気面積を広く確保することができる。
【００４０】
また、本実施の形態に係るマスクフレーム１０にあっては、鼻部２２に近い開口部１６を狭い面積とし、口部２４や顎部２５に近い開口部１６aを広い面積とすることができるため、会話時の煩わしさをより一層軽減させることができる。
【００４１】
さらに、本実施の形態に係るマスクフレーム１０にあっては、外方フレーム部１１のフレーム幅Ｆ１と内方フレーム部１２のフレーム幅Ｆ２とを異ならせることができるため、幅が広い外方フレーム部１１でしっかりと顔面２１に当接させつつ、幅が狭い内方フレーム部１２で通気面積を広く確保することができる。
【００４２】
さらにまた、本実施の形態に係るマスクフレーム１０にあっては、外方フレーム部１１の左右部分のフレーム幅Ｆ３と外方フレーム部１１の上下部分のフレーム幅Ｆ４とを異ならせることができるため、幅が広い外方フレーム部１１の左右部分でしっかりと顔面２１に当接させつつ、幅が狭い外方フレーム部１１の上下部分でソフトに顔面２１に当接させることができる。
【００４３】
また、本実施の形態に係るマスクフレーム１０にあっては、平面式マスクであっても平面式マスクを鼻部２２や口部２４に接触させないようにして呼吸がスムーズに行われるスペースを作ることで、平面式マスク着用時の付け心地を高め、かつ立体式マスクの使用効果を果たすように設けられ、また洗って再利用するだけでよく、または新品の平面式マスクに交換するなどして続けて使用可能である。
【００４４】
さらに、本実施の形態に係るマスクフレーム１０にあっては、以下の効果も発揮することができる。
（１）呼吸スペースを増やし、スムーズな会話を補助することができる。すなわち、マスクを付けた状態での呼吸や、会話の煩わしさを緩和することができる。
（２）一般的なマスクの形状に対応しており、使用方法も簡単である。
（３）マスク使用時における鼻口周りの不快感を軽減することができ、会話もし易くなる。
（４）マスクの形状を選ばず、おおよそどのような形状のマスクにもインナーとして利用可能である。
（５）マスクフレーム１０が外から目立ち難く、装着時の立体感も自然である。
【００４５】
（６）口紅の乱れや眼鏡の曇りを防止し、衛生を保つことができる。
（７）材質特有の臭いなどはなく、無臭である。
（８）肌への負担も少ない柔らかな素材によって形成されている。
（９）口部、鼻部、あご部を連結するラインが滑らかであり、顔面に優しくフィットし、男女問わず幅広く使用可能である。
（１０）マスクフレーム１０がマスクの内側に収納可能な大きさであるため、マスクのゴム紐を耳にかけた状態でも、耳が痛くなりにくく、軽いつけ心地を提供することができる。
【００４６】
上述した実施の形態にあっては、以下の変形が可能である。
（１）外方フレーム部１１及び内方フレーム部１２は、有色であっても透明であってもよい。
（２）縦方向梁部１３は、マスクフレーム１０の上端から下端まで延びている例で説明したが、マスクフレーム１０の上端から中央まで延びていてもよく、マスクフレーム１０の中央から下端まで延びていてもよい。
（３）内方フレーム部１２は、横方向梁部を備えていてもよい。
【００４７】
（４）梁部は合計６本の例で説明したが、５本以下であってもよく、７本以上であってもよい。
（５）外方フレーム部１１及び内方フレーム部１２は、合成樹脂により形成されている例で説明したが、その他の部材（ゴムや紙など）により形成されていてもよい。
（６）外方フレーム部１１のフレーム幅と、内方フレーム部１２のフレーム幅とを同じ幅としてもよく、外方フレーム部１１の左右部分のフレーム幅と外方フレーム部１１の上下部分のフレーム幅とを同じ幅としてもよい。
【産業上の利用可能性】
【００４８】
本考案はマスクフレームに係ることから、広く産業上の利用可能性を有している。
【符号の説明】
【００４９】
１０  マスクフレーム
１１  外方フレーム部
１２  内方フレーム部
１３  縦方向梁部
１４  斜め方向梁部
１５  頬部当接部
１６  開口部
２０  使用者
２１  顔面
２２  鼻部
２３  頬部
２４  口部
２５  顎部
Ｆ１  外方フレーム部のフレーム幅
Ｆ２  内方フレーム部のフレーム幅
Ｆ３  外方フレーム部の左右部分のフレーム幅
Ｆ４  外方フレーム部の上下部分のフレーム幅
Ｍ    マスク
【図１】
0003230074.tif 000003
【図２】
0003230074.tif 000004
【図３】
0003230074.tif 000005
【図４】
0003230074.tif 000006